(57)【要約】【課題】照明装置をメンテナンスすることができるショーケースを提供することである。【解決手段】実施形態のショーケースは、第１方向に開口する陳列空間と、外部との間を、前記第１方向とは異なる第２方向に隔てる隔壁を備える。前記隔壁は、複数の透明板と、シール材と、照明装置と、前縁カバーとを備える。複数の透明板は、前記第２方向に間隔をおいて内部空間を挟んで配置される。シール材は、前記複数の透明板の間において前記内部空間を囲む。照明装置は、前記複数の透明板の間に配置され、前記陳列空間を照明する。前縁カバーは、前記複数の透明板の前記第１方向の端部を覆う。前記照明装置は、前記シール材と前記前縁カバーとの間に配置される。【選択図】図３
2018117771.tif 000002
【特許請求の範囲】
【請求項１】
第１方向に開口する陳列空間と、外部との間を、前記第１方向とは異なる第２方向に隔てる隔壁を備え、
前記隔壁は、
前記第２方向に間隔をおいて内部空間を挟んで配置される複数の透明板と、
前記複数の透明板の間において前記内部空間を囲むシール材と、
前記複数の透明板の間に配置され、前記陳列空間を照明する照明装置と、
前記複数の透明板の前記第１方向の端部を覆う前縁カバーと、
を備え、
前記照明装置は、前記内部空間を囲む前記シール材の外側であって、前記シール材と前記前縁カバーとの間に配置される、
ショーケース。
【請求項２】
前記照明装置は、前記前縁カバーに対して着脱可能にとりつけられた、
請求項１に記載のショーケース。
【請求項３】
前記照明装置を電源に接続するケーブルが、前記内部空間を囲む前記シール材の外側に配置される、
請求項１または２に記載のショーケース。
【発明の詳細な説明】
【技術分野】
【０００１】
本発明の実施形態は、ショーケースに関する。
【背景技術】
【０００２】
商品を陳列する陳列空間を備えたショーケースが利用されている。ショーケースの陳列空間は手前方向に開口する。ショーケースは、陳列空間と横方向の外部とを隔てる隔壁を有する。隔壁は、陳列空間を照明する照明装置を備える場合がある。照明装置は、故障時等にメンテナンスが必要である。
【先行技術文献】
【特許文献】
【０００３】
【特許文献１】特開２０１３−１６２９５５号公報
【発明の概要】
【発明が解決しようとする課題】
【０００４】
本発明が解決しようとする課題は、照明装置をメンテナンスすることができるショーケースを提供することである。
【課題を解決するための手段】
【０００５】
実施形態のショーケースは、第１方向に開口する陳列空間と、外部との間を、前記第１方向とは異なる第２方向に隔てる隔壁を備える。前記隔壁は、複数の透明板と、シール材と、照明装置と、前縁カバーとを備える。複数の透明板は、前記第２方向に間隔をおいて内部空間を挟んで配置される。シール材は、前記複数の透明板の間において前記内部空間を囲む。照明装置は、前記複数の透明板の間に配置され、前記陳列空間を照明する。前縁カバーは、前記複数の透明板の前記第１方向の端部を覆う。前記照明装置は、前記内部空間を囲む前記シール材の外側であって、前記シール材と前記前縁カバーとの間に配置される。
【図面の簡単な説明】
【０００６】
【図１】実施形態のショーケースの斜視図。
【図２】第１実施形態の隔壁についての、図３のＩＩ−ＩＩ線における断面図。
【図３】第１実施形態の隔壁についての、図２のＩＩＩ−ＩＩＩ線における断面図。
【図４】第１実施形態のＬＥＤアレイの正面図。
【図５】第２実施形態の隔壁についての、図２のＩＩＩ−ＩＩＩ線に相当する部分における断面図。
【発明を実施するための形態】
【０００７】
以下、実施形態のショーケースを、図面を参照して説明する。本願において、ＸＹＺ方向は以下のように定義される。Ｘ方向はショーケースの奥行方向であり、＋Ｘ方向（第１方向）が前方向（陳列空間の開口方向）である。Ｙ方向（第２方向）はショーケースの幅方向であり、−Ｙ方向が陳列空間の中央方向である。Ｚ方向はショーケースの高さ方向であり、＋Ｚ方向が上方向である。
【０００８】
図１は、実施形態のショーケースの斜視図である。実施形態のショーケース１は、機械室を有する底部２と、背面部４および上面部６と、Ｙ方向に向かって対向する２つの隔壁２０を有しており、これらで囲まれた陳列空間１０と、陳列空間１０内に配置され背面部４に固定される陳列棚１２とを備える。
【０００９】
底部２は、陳列空間１０の−Ｚ方向に配置される。底部２の＋Ｚ面における＋Ｘ方向の端部には、陳列空間１０の空気の吸込口１４ｂが形成される。底部２内部の機械室には、ファンと、冷凍サイクル装置とが収容される。ファンは、陳列空間１０内の空気を吸込口１４ｂから吸い込む。冷凍サイクル装置は、圧縮機、凝縮器、膨張弁および蒸発器を備え、これらに冷媒を循環させる。蒸発器は、ファンが吸い込んだ空気を冷却する。
【００１０】
背面部４は、ショーケース１の背部のうち底部２の＋Ｚ方向に配置される。すなわち背面部４は、陳列空間１０の−Ｘ方向に配置される。
上面部６は、ショーケース１の上部であって、陳列空間１０の＋Ｚ方向に配置される。背面部４および上面部６の内部にはダクトが形成されており、底部２内部の機械室に収容された蒸発器が冷却した空気を、ショーケース１の＋Ｚ方向に案内する。上面部６の−Ｚ面における＋Ｘ方向の端部には、陳列空間１０への空気の吹出口１４ａが形成されている。
【００１１】
隔壁２０は、ショーケース１の側部のうち底部２の＋Ｚ方向の略全体を覆う。すなわち隔壁２０は、陳列空間１０のＹ方向の両端部にそれぞれ配置され、陳列空間１０と外部との間をＹ方向に隔てる。詳細は後述するが、隔壁２０は、Ｙ方向に間隔をおいて配置された一対の透明板を備える。そのため、ショーケース１の＋Ｙ方向から隔壁２０を通して陳列空間１０の内部が視認可能である。隔壁２０は、一対の透明板の間に密閉された内部空間を有する。これにより、隔壁２０が断熱壁として機能する。
【００１２】
陳列空間１０は、底部２、背面部４、上面部６および隔壁２０に囲まれて、これらの内側に形成される。陳列空間１０は、＋Ｘ方向に開口を有する。
陳列棚１２は、陳列空間１０の内部に配置される。陳列棚１２は、背面部４に固定される。陳列棚１２は、Ｚ方向の位置を変更可能である。複数の陳列棚１２が、陳列空間１０の内部に配置される。陳列棚１２の＋Ｚ面には、商品が陳列される。
【００１３】
ショーケース１は、底部２内部の機械室の冷凍サイクル装置で冷却した空気を、上面部６の吹出口１４ａから吹き出し、底部２の吸込口１４ｂから吸い込む。これにより、陳列空間１０の＋Ｘ方向の開口にエアーカーテンが形成される。したがって、陳列空間１０の内部は低温に保持される。
【００１４】
（第１実施形態）
図２は、第１実施形態の隔壁についての、図３のＩＩ−ＩＩ線における断面図である。図３は、第１実施形態の隔壁についての、図２のＩＩＩ−ＩＩＩ線における断面図である。
対向する２つの隔壁２０は、対向する方向に略対称な内部構造を有しているため、特に断らない限り、図１のショーケース１正面から向かって右側の隔壁２０について説明する。図３に示すように、隔壁２０は、透明板２２（一対の透明板２２ａ，２２ｂ）と、シール材２４と、乾燥剤収容部２６と、前縁カバー３２と、ＬＥＤアレイ（照明装置）４０とを備える。
【００１５】
図３に示すように、透明板２２は、光透過性を有するガラス板等で形成される。複数の透明板２２が、Ｙ方向に間隔をおいて配置される。実施形態では、一対の透明板２２ａ，２２ｂが採用される。一対の透明板２２ａ，２２ｂは、内部空間２３を挟んで配置される。内部空間２３には、乾燥空気等が封入される。内部空間２３は、低圧状態または略真空状態であってもよい。
【００１６】
シール材２４は、気密性および接着性を有する樹脂材料等で形成される。シール材２４は、光透過性を有しない材料で形成されるが、光透過性を有する材料で形成されてもよい。シール材２４は、一対の透明板２２ａ，２２ｂの間に配置される。図２に示すように、シール材２４は、内部空間２３を囲んで配置される。これにより内部空間２３は、一対の透明板２２ａ，２２ｂおよびシール材２４で密閉される。シール材２４は、透明板２２の周縁部に配置される。シール材２４は、透明板２２の＋Ｚ方向、−Ｘ方向および−Ｚ方向では、透明板２２の縁辺に沿って配置される。シール材２４は、透明板２２の＋Ｘ方向では、透明板２２の縁辺から少し−Ｘ方向に離れた位置に配置される。
【００１７】
乾燥剤収容部２６は、内部空間２３を囲むシール材２４の内側に沿って配置される
図３に示すように、乾燥剤収容部２６は、角筒状に形成される。乾燥剤収容部２６の内部２７には、乾燥剤が収容される。乾燥剤収容部２６の内部空間２３側の面には、乾燥剤収容部２６の内部２７と内部空間２３とを連通する貫通孔２７ｈが形成されている。乾燥剤収容部２６の内部２７に収容された乾燥剤が、貫通孔２７ｈを通して、内部空間２３の水分を吸収する。これにより、内部空間２３での結露が防止される。
【００１８】
前縁カバー３２およびＬＥＤアレイ４０は、カバーユニット３０の一部である。カバーユニット３０は、前縁カバー３２と、ＬＥＤアレイ４０と、ＬＥＤ保持部材３５とを備える。図２に示すように、カバーユニット３０は、隔壁２０の＋Ｚ方向の略全長に亘って形成される。
【００１９】
図３に示すように、前縁カバー３２は、金属材料等により形成される。前縁カバー３２は、Ｚ方向に沿って一様に伸びる。前縁カバー３２は、一対の透明板２２ａ，２２ｂの＋Ｘ方向の端部を覆う。前縁カバー３２は、一対の透明板２２ａ，２２ｂに対して着脱可能である。前縁カバー３２は、着脱可能なビス等で、一対の透明板２２ａ，２２ｂまたはその周辺部材に対して固定される。
【００２０】
前縁カバー３２は、正面部３２ｆと、一対の側面部３２ｓとを備える。正面部３２ｆは、一対の透明板２２ａ，２２ｂの＋Ｘ方向の端部に密着して配置される。正面部３２ｆの＋Ｘ面には、装飾が施されてもよい。一対の側面部３２ｓは、一対の透明板２２ａ，２２ｂの＋Ｙ方向に隙間をおいて配置される。一対の側面部３２ｓは、一対の透明板２２ａ，２２ｂに密着して配置されてもよい。一対の側面部３２ｓの＋Ｘ方向の端部は、正面部３２ｆのＹ方向の両端部に連結される。前縁カバー３２の正面部３２ｆと一対の側面部３２ｓとは、一体に形成される。
【００２１】
ＬＥＤアレイ４０は、外筒４２と、基板４４と、ＬＥＤ素子４５と、第１コネクタ４７ｍ（図４参照）とを備える。
図４は、ＬＥＤアレイ４０の正面図である。外筒４２は、透明な樹脂材料等で形成される。外筒４２は、Ｚ方向に伸びる円筒状に形成される。基板４４は、電気絶縁性を有する樹脂材料等により形成される。基板４４は、Ｚ方向に伸びる長板状に形成される。基板４４は、外筒４２の内部に配置され、接着剤等により外筒４２に固定される。複数のＬＥＤ素子４５は、Ｚ方向に並んで配置される。複数のＬＥＤ素子４５は、基板４４に対して固定される。
【００２２】
図４に示すように、第１コネクタ４７ｍは、基板４４および外筒４２の＋Ｚ方向の端部に配置される。第１コネクタ４７ｍは、基板４４上に形成された配線を介して、複数のＬＥＤ素子４５に接続されている。第１コネクタ４７ｍは、第２コネクタ４７ｎと着脱可能である。第２コネクタ４７ｎは、ケーブル４８に接続される。ケーブル４８は、ショーケースの電源４９に接続される。図２に示すように、ケーブル４８は、内部空間２３を囲むシール材２４の外側に配置される。
【００２３】
図３に示すように、ＬＥＤ保持部材３５は、樹脂材料等により一体に形成される。ＬＥＤ保持部材３５は、光透過性を有しない材料で形成されるが、光透過性を有する材料で形成されてもよい。ＬＥＤ保持部材３５は、Ｚ方向に沿って配置されている。ＬＥＤ保持部材３５は、一対の透明板２２ａ，２２ｂの間に配置される。
【００２４】
ＬＥＤ保持部材３５は、柱状部３５ｐと、クリップ部３５ｃとを備える。
柱状部３５ｐの＋Ｘ方向の端部は、前縁カバー３２の−Ｘ面に固定される。クリップ部３５ｃは、柱状部３５ｐの−Ｘ方向の端部から、二股に分かれて−Ｘ方向に伸びる。クリップ部３５ｃは、ＬＥＤアレイ４０の外筒４２の外周形状に沿った湾曲形状に形成される。二股に分かれたクリップ部３５ｃの先端には、開口部３５ｄが形成される。開口部３５ｄは、クリップ部３５ｃの内側を特定方向に向けて開口する。特定方向は、陳列空間のＸＹ方向の中央部に向かう方向である。
【００２５】
ＬＥＤアレイ４０は、クリップ部３５ｃの内側に収容される。ＬＥＤアレイ４０は、クリップ部３５ｃと共に一対の透明板２２ａ，２２ｂの間に配置される。ＬＥＤアレイ４０は、クリップ部３５ｃと共にシール材２４と前縁カバー３２との間に配置される。シール材２４は、一対の透明板２２ａ，２２ｂの間において内部空間２３を囲む。前縁カバー３２は、一対の透明板２２ａ，２２ｂの＋Ｘ方向の端部を覆う。すなわちＬＥＤアレイ４０は、内部空間２３を囲むシール材２４の外側に配置される。
【００２６】
ＬＥＤアレイ４０は、クリップ部３５ｃに対して着脱可能である。クリップ部３５ｃは、前縁カバー３２に固定されている。そのためＬＥＤアレイ４０は、前縁カバー３２に対して着脱可能である。ＬＥＤアレイ４０は、ＬＥＤ保持部材３５および前縁カバー３２とともに、カバーユニット３０として一体である。
【００２７】
ＬＥＤアレイ４０は、光軸を特定方向（陳列空間のＸＹ方向の中央部に向かう方向）に向けた状態でクリップ部３５ｃに収容される。ＬＥＤアレイ４０から照射された光は、−Ｙ方向に配置された透明板２２ａを透過する。ＬＥＤアレイ４０から照射された光の中心は、陳列空間のＸＹ方向の中央部に向かって進行する。ＬＥＤ素子４５から照射された光は、光軸を中心として広範囲に広がる。そのためＬＥＤアレイ４０は、陳列空間の全体を照明する。
【００２８】
−Ｙ方向に配置された透明板２２ａには、遮光膜５１が形成される。遮光膜５１は、光透過性を有しない材料で形成される。遮光膜５１は、印刷や塗布、貼付けなどの方法により形成される。遮光膜５１は、透明板２２ａの＋Ｙ面に形成されるが、−Ｙ面に形成されてもよい。遮光膜５１は、透明板２２ａの＋Ｘ方向の端部から、ＬＥＤ素子４５と同じＸ方向の位置にかけて形成される。遮光膜５１は、ＬＥＤ素子４５から照射された光が、陳列空間の＋Ｘ方向の外側まで広がるのを防止する。これにより、ショーケースの＋Ｘ方向に立つ人が、眩しさを感じなくなる。
遮光膜５１の他に、目隠し膜５２が形成されてもよい。目隠し膜５２は、クリップ部３５ｃやシール材２４、乾燥剤収容部２６などが外部から視認されるのを防止する。
【００２９】
ＬＥＤアレイ４０のメンテナンス作業について説明する。
前縁カバー３２が、一対の透明板２２ａ，２２ｂから取り外される。ＬＥＤアレイ４０が、一対の透明板２２ａ，２２ｂの間から取り出される。ＬＥＤアレイ４０は、一対の透明板２２ａ，２２ｂの内部空間２３を囲むシール材２４の外側に配置される。そのため、一対の透明板２２ａ，２２ｂおよびシール材２４を破壊することなく、ＬＥＤアレイ４０を取り出すことができる。ＬＥＤアレイ４０は、カバーユニット３０として前縁カバー３２と一体である。そのため、一対の透明板２２ａ，２２ｂから前縁カバー３２を取り外すのと同時に、一対の透明板２２ａ，２２ｂの間からＬＥＤアレイ４０を取り出すことができる。
【００３０】
取り出したＬＥＤアレイ４０のメンテナンス作業が行われる。ＬＥＤアレイ４０は、前縁カバー３２に対して着脱可能である。そのため、前縁カバー３２からＬＥＤアレイ４０を取り外してメンテナンス作業を行うことができる。ＬＥＤアレイ４０を交換する場合でも、前縁カバー３２を再利用できる。すなわち、一対の透明板２２ａ，２２ｂから取り外した前縁カバー３２に、新しいＬＥＤアレイ４０を装着する。
【００３１】
メンテナンス後のＬＥＤアレイ４０が、一対の透明板２２ａ，２２ｂの間に収容される。前縁カバー３２が、一対の透明板２２ａ，２２ｂに対して装着される。ＬＥＤアレイ４０は、カバーユニット３０として前縁カバー３２と一体である。そのため、一対の透明板２２ａ，２２ｂに対して前縁カバー３２を装着するのと同時に、一対の透明板２２ａ，２２ｂの間にＬＥＤアレイ４０を収容することができる。
【００３２】
以上に詳述したように、実施形態のショーケース１の隔壁２０は、一対の透明板２２ａ，２２ｂと、シール材２４と、ＬＥＤアレイ４０と、前縁カバー３２とを備える。一対の透明板２２ａ，２２ｂは、Ｙ方向に間隔をおいて内部空間２３を挟んで配置される。シール材２４は、一対の透明板２２ａ，２２ｂの間において内部空間２３を囲む。ＬＥＤアレイ４０は、一対の透明板２２ａ，２２ｂの間に配置され、陳列空間１０を照明する。前縁カバー３２は、一対の透明板２２ａ，２２ｂの＋Ｘ方向の端部を覆う。ＬＥＤアレイ４０は、内部空間２３を囲むシール材２４の外側であって、シール材２４と前縁カバー３２との間に配置される。
【００３３】
この構成によれば、一対の透明板２２ａ，２２ｂの内部空間２３を囲むシール材２４の外側に、ＬＥＤアレイ４０が配置される。そのため、前縁カバー３２を取り外せば、一対の透明板２２ａ，２２ｂの間からＬＥＤアレイ４０を取り出すことができる。これにより、ＬＥＤアレイ４０のメンテナンスが可能になる。
【００３４】
ＬＥＤアレイ４０は、前縁カバー３２に対して着脱可能に取り付けられる。
この構成によれば、ＬＥＤアレイ４０が前縁カバー３２に装着される。そのため、一対の透明板２２ａ，２２ｂから前縁カバー３２を取り外すのと同時に、一対の透明板２２ａ，２２ｂの間からＬＥＤアレイ４０を取り出すことができる。したがって、ＬＥＤアレイ４０の取り出し作業が容易になる。また、ＬＥＤアレイ４０が前縁カバー３２から取り外される。そのため、ＬＥＤアレイ４０を交換する場合でも、前縁カバー３２を再利用することができる。したがって、ＬＥＤアレイ４０のメンテナンス費用が抑制される。
【００３５】
ＬＥＤアレイ４０を電源に接続するケーブル４８（図４参照）が、内部空間２３を囲むシール材２４の外側に配置される。
この構成によれば、ケーブル４８がシール材２４を貫通しない。そのため、シール材２４による内部空間２３の密閉性が確保され、内部空間２３に水分が侵入しにくくなる。したがって、内部空間２３における結露が防止される。
【００３６】
（第２実施形態）
図５は、第２実施形態の隔壁についての、図２のＩＩＩ−ＩＩＩ線に相当する部分における断面図である。図３に示す第１実施形態に対して、図５に示す第２実施形態では、ＬＥＤアレイ１４０およびクリップ部１３５ｃの形状が異なる。第１実施形態と同様の構成となる第２実施形態の部分については、詳細な説明を省略する。
【００３７】
図３に示す第１実施形態のＬＥＤアレイ４０は、外筒４２を備える。これに対して、図５に示す第２実施形態のＬＥＤアレイ１４０は、外筒を備えない。すなわち、基板１４４およびＬＥＤ素子１４５により、ＬＥＤアレイ１４０が形成される。
図３に示す第１実施形態のクリップ部３５ｃは、外筒４２の外周を支持する。これに対して、図５に示す第２実施形態のクリップ部１３５ｃは、基板１４４の端部を支持する。クリップ部１３５ｃは、ＬＥＤアレイ１４０が特定方向（陳列空間のＸＹ方向の中央部に向かう方向）を向くように、ＬＥＤアレイ１４０を支持する。
【００３８】
以上説明した少なくともひとつの実施形態によれば、ＬＥＤアレイ４０が内部空間２３を囲むシール材２４の外側であってシール材２４と前縁カバー３２との間に配置されることにより、ＬＥＤアレイ４０をメンテナンスすることができる。
【００３９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４０】
１…ショーケース、１０…陳列空間、２０…隔壁、２２…透明板、２２ａ，２２ｂ…一対の透明板（複数の透明板）、２３…内部空間、２４…シール材、３２…前縁カバー、４０…ＬＥＤアレイ（照明装置）、４８…ケーブル、４９…電源。
【図１】
2018117771.tif 000003
【図２】
2018117771.tif 000004
【図３】
2018117771.tif 000005
【図４】
2018117771.tif 000006
【図５】
2018117771.tif 000007